(57)【要約】【課題】本発明は、ローカルモニタリングデータ管理装置に関する。【解決手段】本発明をより詳しく説明すると、モニタリングデータのフラッグ情報を利用してモニタリングデータを定型モニタリングデータ及び非定型モニタリングデータのいずれか一つに識別する識別部、モニタリングデータの識別結果によって定型モニタリングデータを関係データベースに保管したり、非定型モニタリングデータを非定型データベースに保管する保管部、及び定型モニタリングデータのうちデータ変換条件に対応する定型モニタリングデータを検索して非定型モニタリングデータに変換する変換部を含むことを特徴とする。【選択図】図２
2017204262.tif 000002
【特許請求の範囲】
【請求項１】
太陽光発電システムの発電情報をモニタリングするローカルモニタリング装置からモニタリングデータを収集して管理するローカルモニタリングデータ管理装置において、
前記モニタリングデータのフラッグ情報を利用して前記モニタリングデータを定型モニタリングデータ及び非定型モニタリングデータのいずれか一つに識別する識別部；
前記モニタリングデータの識別結果によって前記モニタリングデータを保管する保管部；及び
データ変換条件に対応して前記定型モニタリングデータを非定型モニタリングデータに変換する変換部を含むローカルモニタリングデータ管理装置。
【請求項２】
前記太陽光発電システムの発電情報をモニタリングするローカルモニタリング装置から前記モニタリングデータを収集する収集部をさらに含む、請求項１に記載のローカルモニタリングデータ管理装置。
【請求項３】
前記収集部は、
前記ローカルモニタリング装置の装置識別情報を前記モニタリングデータに併合して前記モニタリングデータを収集する、請求項２に記載のローカルモニタリングデータ管理装置。
【請求項４】
前記変換部は、
前記定型モニタリングデータのうち既設定されたデータ形式に当たる定型モニタリングデータを検索する、請求項３に記載のローカルモニタリングデータ管理装置。
【請求項５】
前記変換部は、
前記検索された定型モニタリングデータのうち前記装置識別情報と同一な装置識別情報が併合された定型モニタリングデータを非定型モニタリングデータに変換する、請求項４に記載のローカルモニタリングデータ管理装置。
【請求項６】
前記定型モニタリングデータ及び前記非定型モニタリングデータのいずれか一つを分析して前記発電情報に対する分析データを生成する分析部をさらに含む、請求項１ないし請求項５のいずれか１項に記載のローカルモニタリングデータ管理装置。
【発明の詳細な説明】
【技術分野】
【０００１】
本発明は、ローカルモニタリングデータ管理装置に係り、より詳細には、太陽光発電システムのモニタリングデータを定型モニタリングデータ、または非定型モニタリングデータに識別して、それぞれ関係データベース及び非定型データベースに保管し、定型モニタリングデータのうちデータ変換条件に対応する定型モニタリングデータを選別して非定型モニタリングデータに変換するローカルモニタリングデータ管理装置に関する。
【背景技術】
【０００２】
太陽光発電システムは、光起電力効果(Photovoltaic Effect)を利用して太陽エネルギーを直接電気エネルギーに変換させる太陽光発電を利用する発電システムである。太陽光発電は燃料が不要で、熱公害と環境汚染がなく、騷音、放射性、爆発の危険がない上、運転、維持が簡便であり、無人化が容易いであることが大きい長所である。しかし、まだ発電単価が高いので、経済性が弱いし、気象条件によって発電量が一定しないし、限定された日照時間(夜、昼、雨天時)によって発電時間が制限される短所がある。
【０００３】
このような、太陽光発電システムの近距離には、ローカルモニタリング装置が位置して連結される。ローカルモニタリング装置は、太陽光発電設備が設けられる場所の温度及び日射量などの環境データを測定する温度／湿度センサ部と、太陽光発電システムの動作特性の結果を測定する電力センサ部を含む。
【０００４】
これを通じて、電力センサ部は太陽発電アレイの発電電力を直流(ＤＣ)から交流(ＡＣ)に変換するインバーターの電圧と電流を測定し、ローカルモニタリング装置は、これに基づいて電力損失などのような故障診断を行う。
【０００５】
一方、太陽光発電クラウドシステムは、多数のローカルモニタリング装置と通信を行うことで、上述のモニタリングデータを受信する。また、太陽光発電クラウドシステムは、受信されたモニタリングデータを分析して演算処理することで、時間帯別、季節別、月間、年間発電量データを生成する。
【０００６】
さらに、太陽光発電クラウドシステムは、分析データを利用して太陽光発電システムのインバーター效率を分析し、発電予想電力及び予想金額を算出する。
【０００７】
この時、太陽光発電クラウドシステムは、単純モニタリングサービスのためのデータ分析を行う場合、関係データベースに保管された定型モニタリングデータを利用してデータ分析を行う。
【０００８】
最近、太陽光発電クラウドシステムは、ビッグデータ分析を行うために、非定型データベースに保管された非定型モニタリングデータを利用してデータ分析を行う。
【０００９】
これによって、従来の太陽光発電クラウドシステムは、単純モニタリングサービスのためのデータ分析及びビッグデータ分析を全て行うために、関係データベース及び非定型データベースを全て運営しなければならない問題点がある。
【００１０】
また、従来の太陽光発電クラウドシステムは、相互異なるデータベースにそれぞれ保管された定型モニタリングデータ及び非定型モニタリングデータ間の変換が容易ではないため、既存の定型モニタリングデータを活用してビッグデータ分析を行うことができない問題点がある。
【発明の概要】
【発明が解決しようとする課題】
【００１１】
本発明は、定型モニタリングデータのうちデータ変換条件に対応する定型モニタリングデータを選別して非定型モニタリングデータに変換することで、太陽光発電システムに対するモニタリングデータをビッグデータ分析するにあたり、定型モニタリングデータを活用することを目的とする。
【００１２】
また、本発明は既設定されたデータ形式に当たる定型モニタリングデータを検索して併合された装置識別情報を確認し、確認された装置識別情報と同一な装置識別情報が併合された定型モニタリング情報を非定型モニタリングデータに変換することで、同一な装置から収集された定型モニタリング情報だけを非定型モニタリング情報に変換することを目的とする。
【００１３】
本発明の目的は、以上で言及した目的に制限されず、言及していない本発明の他の目的及び長所は下記の説明によって理解されることができ、本発明の実施形態によってより明らかに理解できる。また、本発明の目的及び長所は、特許請求の範囲に示す手段及びその組み合わせによって実現できることを容易に分かることができる。
【課題を解決するための手段】
【００１４】
このような目的を達成するためのローカルモニタリングデータ管理装置は、モニタリングデータのフラッグ情報を利用してモニタリングデータを定型モニタリングデータ及び非定型モニタリングデータのいずれか一つに識別する識別部、モニタリングデータの識別結果によって定型モニタリングデータを関係データベースに保管したり非定型モニタリングデータを非定型データベースに保管する保管部、及び定型モニタリングデータのうちデータ変換条件に対応する定型モニタリングデータを検索して非定型モニタリングデータに変換する変換部を含むことを特徴とする。
【発明の効果】
【００１５】
前述のような本発明によると、定型モニタリングデータのうちデータ変換条件に対応する定型モニタリングデータを選別して非定型モニタリングデータに変換することで、既存に収集されて関係データベースに保管された定型モニタリングデータを活用してビッグデータ分析を行うことができる効果を有する。
【図面の簡単な説明】
【００１６】
【図１】本発明の一実施形態によるローカルモニタリングデータ管理装置とローカルモニタリング装置の間の連結構成を図示した図面。
【図２】本発明の一実施形態によるローカルモニタリングデータ管理装置の構成を図示した図面。
【図３】本発明の一実施形態によるローカルモニタリングデータ管理装置の定型モニタリングデータ、及び非定型モニタリングデータの一例を図示した図面。
【発明を実施するための形態】
【００１７】
前述の目的、特徴及び長所は、添付の図面を参照して詳細に後述されるし、これによって、本発明が属する技術分野における通常の知識を有する者が本発明の技術的思想を容易に実施することができる。本発明を説明するにあたり、本発明に係る公知技術に対する具体的な説明が本発明の要旨を不必要に曖昧にすることができると判断される場合は、詳細な説明を省略する。以下、添付の図面を参照して本発明による好ましい実施形態を詳しく説明する。図面において同一な参照符号は、同一または類似の構成要素を示すものとして使われる。
【００１８】
図１は本発明の一実施形態によるローカルモニタリングデータ管理装置１００とローカルモニタリング装置２００の間の連結構成を図示した図面である。
【００１９】
図１を参照すれば、本発明の一実施形態によるローカルモニタリングデータ管理装置１００は、第１通信網１０を利用してローカルモニタリング装置２００と通信を行うことでデータを送受信する。ローカルモニタリング装置２００は、第２通信網２０を利用して太陽光発電システム３００の発電情報に対するモニタリングデータを受信することができる。
【００２０】
ここで、第１通信網１０は無線通信網、例えば、イーサネット(Ethernet) 通信、ワイファイ(Wireless Fidelitiy；Wi-Fi)通信、ＣＤＭＡ(Ｃode Division Multiple Access)通信及びＬＴＥ(Long Term Evolution)通信のいずれか一つ以上を利用する通信網であり得るし、ワイファイ通信を利用する場合、別途の無線ＡＰ(Access Point)を備えることができる。
【００２１】
ここで、第２通信網２０は有線通信網、例えば、カン(Control Area Network；CAN)通信及びシリアル(Serial)通信のいずれか一つ以上を使う通信網であり得る。
【００２２】
すなわち、ローカルモニタリングデータ管理装置１００は、ローカルモニタリング装置２００と、無線通信網である第１通信網１０を介して連結され、遠隔地からもモニタリングデータを収集することができる。一方、ローカルモニタリング装置２００は、太陽光発電システム３００の近距離に位置して、有線通信網である第２通信網２０を介してデータを受信することができる。
【００２３】
図２は本発明の一実施形態によるローカルモニタリングデータ管理装置１００の構成を図示した図面である。
【００２４】
図２を参照すれば、本発明の一実施形態によるローカルモニタリングデータ管理装置１００は、収集部１１０、識別部１２０、保管部１３０、変換部１４０及び分析部１５０を含む。
【００２５】
収集部１１０は、ローカルモニタリング装置２００から生成された太陽光発電システム３００の発電情報に対するモニタリングデータを収集することができる。
【００２６】
このとき、収集部１１０は上述したように、無線通信網である第１通信網１０を利用してローカルモニタリング装置２００からモニタリングデータを受信することで、モニタリングデータを収集することができる。
【００２７】
これのために、収集部１１０はイーサネット通信モジュール、ワイファイ通信モジュール、ＣＤＭＡ通信モジュール及びＬＴＥ通信モジュールのいずれか一つ以上を含むことができる。
【００２８】
一方、収集部１１０はローカルモニタリング装置２００の装置識別情報をモニタリングデータに併合してモニタリングデータを収集することができる。
【００２９】
より具体的に、収集部１１０はローカルモニタリング装置２００からモニタリングデータと共にローカルモニタリング装置２００の装置識別情報を受信し、受信されたモニタリングデータに装置識別情報を併合することができる。
【００３０】
ここで、装置識別情報はデータを送受信するネットワークにおいてローカルモニタリング装置２００の固有アドレスであり得る。例えば、装置識別情報はＬＡＮ(Local Area Network)上でデータを送受信する時使われるネットワークカードのＭＡＣ(Media Access Control)アドレスであり得る。
【００３１】
これを通じて、ローカルモニタリング装置１００は、モニタリングデータがどのローカルモニタリング装置２００から収集されたのかを確認することができる。
【００３２】
識別部１２０は、収集部１１０から収集されたモニタリングデータを定型モニタリングデータ及び非定型モニタリングデータのいずれか一つに識別することができる。
【００３３】
ここで、定型モニタリングデータは、フィールドが構造化されてテーブル(table)構造またはツリー(tree)構造を有するデータであり得る。
【００３４】
例えば、定型データはＲＤＢ(Relation DateBase)、ＣＳＶ(Comma-Seperated Variables)、ＸＭＬ(eXtensible Markup Language)及びＪＳＯＮ(JavaScript Object Notation)であり得る。
【００３５】
ここで、非定型データは一定した規格や形態を有するデータではなく、イメージ、映像、文書のように、構造化されていないデータであることができる。
【００３６】
例えば、非定型データは、グラフ、イメージ、音声情報及び映像情報でありえる。
【００３７】
識別部１２０は、モニタリングデータを定型モニタリングデータ及び非定型モニタリングデータのいずれか一つに識別するために、モニタリングデータのフラッグを利用することができる。
【００３８】
すなわち、識別部１２０はモニタリングデータのフラッグを確認して、収集されたモニタリングデータが定型モニタリングデータであるか、それとも非定型モニタリングデータであるかを識別することができる。
【００３９】
保管部１３０は、定型モニタリングデータを保管する関係データベース１３１、及び非定型モニタリングデータを保管する非定型データベース１３２を含むことができる。
【００４０】
保管部１３０は、識別部１２０のモニタリングデータの識別結果によって収集されたモニタリングデータを関係データベース１３１または非定型データベース１３２に保管することができる。
【００４１】
より具体的に、保管部１３０は、識別部１２０から定型モニタリングデータに識別されたモニタリングデータを関係データベース１３１に保管することができる。
【００４２】
また、保管部１３０は、識別部１２０から非定型モニタリングデータに識別されたモニタリングデータを非定型データベース１３２に保管することができる。
【００４３】
変換部１４０は関係データベース１３１に保管された定型モニタリングデータを非定型データに変換することができる。
【００４４】
より具体的に、変換部１４０は関係データベース１３１に保管された定型モニタリングデータのうちデータ変換条件に対応する定型モニタリングデータを検索する。その後、変換部１４０は検索された定型モニタリングデータを利用して非定型データに変換することができる。
【００４５】
ここで、データ変換条件は、定型モニタリングデータのフィールド値が既設定されたフィールド値と同一であるか否かである。
【００４６】
図３を参照すれば、関係データベース１３１には、発電量情報である定型モニタリングデータが保管されることができる。この時、発電量情報は『地域情報』、『モニタリング時間情報』及び『モニタリング日付情報』を含むフィールド値を有することができる。
【００４７】
例えば、フィールド値の中で『地域情報』に当たるデータが『ソウル』であるか否かが上述されたデータ変換条件である場合、変換部１４０はデータ変換条件に対応する定型モニタリングデータを検索する。以後、変換部１４０は検索された定型モニタリングデータのみを利用して非定型データに変換することができる。
【００４８】
具体的に、変換部１４０は検索された定型モニタリングデータを利用してソウル地域に位置した太陽光発電システム３００の電力量情報を日付によってグラフで表す非定型モニタリングデータに変換することができる。
【００４９】
一方、他の実施形態による変換部１４０は、関係データベース１３１に保管された定型モニタリングデータのうち既設定されたデータ形式に当たる定型モニタリングデータを検索することができる。
【００５０】
ここで、既設定されたデータ形式は、ＲＤＢ(Relation DateBase)、ＣＳＶ(Comma-Seperated Variables)、ＸＭＬ(eXtensible Markup Language)及びＪＳＯＮ(JavaScript Object Notation)のいずれか一つであることができる。
【００５１】
次いで、他の実施形態による変換部１４０は、既設定されたデータ形式に当たる定型モニタリングデータに併合された装置識別情報を確認する。このとき、変換部１４０は確認された装置識別情報と同一な装置識別情報が併合された定型モニタリングデータを非定型モニタリングデータに変換することができる。
【００５２】
これを通じて、変換部１４０は同一なローカルモニタリング装置２００から収集された定型モニタリングデータのみを非定型モニタリングデータに変換することができる。
【００５３】
分析部１５０は、関係データベース１３１及び非定型データベース１３２にそれぞれ保管された定型モニタリングデータ及び非定型モニタリングデータのいずれか一つを分析して発電情報に対する分析データを生成することができる。
【００５４】
ここで、分析部１５０は非定型モニタリングデータからビッグデータ分析を行うことで分析データを生成することができる。
【００５５】
例えば、分析部１５０は、図３に図示されたソウル地域に位置した太陽光発電システム３００の電力量情報を日付によってグラフで表す非定型モニタリングデータをビッグデータ分析を行うことができる。
【００５６】
その結果、分析部１５０は上述されたグラフからソウル地域に位置した太陽光発電システム３００の予想電力量情報を分析データで生成することができる。
【００５７】
前述した本発明は、本発明が属する技術分野における通常の知識を有する者にとって本発明の技術的思想を脱しない範囲内で様々な置換、変形及び変更が可能であるため、前述の実施形態及び添付の図面によって限定されるものではない。
【図１】
2017204262.tif 000003
【図２】
2017204262.tif 000004
【図３】
2017204262.tif 000005